(57)【要約】  ＮＣ旋盤において、交換する工具の数を増大させる。  タレット１に追加タレット２が組み合わされる。タレット１は複数の取り付け位置を有し、追加タレット２は複数の取り付け位置のうち、少なくとも１つの取り付け位置に支持される。追加タレット２は複数の追加取り付け位置を有する。さらに、工具４が追加取り付け位置に取り付けられ、被加工物７がチャック８に保持される。
2012043551.tif 000002
【特許請求の範囲】
【請求項１】
複数の取り付け位置を有し、支軸のまわりを回転可能であり、前記支軸のまわりにおいて、各取り付け位置が等角度間隔を置いて設定されているタレットと、
前記複数の取り付け位置のうち、少なくとも１つの取り付け位置に支持され、複数の追加取り付け位置を有し、追加支軸のまわりを回転可能であり、前記追加支軸のまわりにおいて、各追加取り付け位置が等角度間隔を置いて設定されている追加タレットと、
前記追加取り付け位置に取り付けられる工具と、
主軸のまわりを回転するチャックと、
前記チャックに保持される被工作物と、
Ｘ軸方向およびＹ軸方向において、前記タレットまたはチャックを移動させ、前記工具によって前記被加工物を機械加工するＮＣ装置とからなり、
前記タレットおよび追加タレットによって前記工具を交換するようにしたことを特徴とするＮＣ旋盤。
【請求項２】
前記追加タレットおよびプッシュバーがハウジングに支持され、前記ハウジングが前記複数の取り付け位置のうち、少なくとも１つの取り付け位置に取り付けられ、前記プッシュバーは長さ方向に移動可能であり、前記被加工物の機械加工とは別個に、前記ＮＣ装置によって前記タレットまたはチャックが移動し、その移動によって前記プッシュバーが移動し、さらに、前記ハウジング内において、連動機構が前記プッシュバーと追加タレット間に設けられ、前記追加タレットが前記プッシュバーに連動し、回転するようにした請求項１に記載のＮＣ旋盤。
【請求項３】
支軸のまわりを回転可能であるタレットに取り付けることができるハウジングと、
前記ハウジングに支持され、複数の追加取り付け位置を有し、追加支軸のまわりを回転可能であり、前記追加支軸のまわりにおいて、各追加取り付け位置が等角度間隔を置いて設定されている追加タレットと、
前記ハウジングに支持され、長さ方向に移動可能であるプッシュバーと、
前記ハウジング内において、前記プッシュバーと追加タレット間に設けられ、前記追加タレットを前記プッシュバーに連動させ、回転させる連動機構とからなり、
工具を前記追加取り付け位置に取り付け、前記追加タレットによって前記工具を交換するようにしたことを特徴とするＮＣ旋盤の付属装置。
【発明の詳細な説明】
【技術分野】
【０００１】
この発明は、ＮＣ旋盤およびその付属装置に関するものである。
【背景技術】
【０００２】
特許文献１，２に記載されているように、ＮＣ旋盤では、工具がタレットに取り付けられ、被加工物がチャックに保持される。チャックは主軸のまわりを回転する。さらに、Ｘ軸方向およびＺ軸方向において、ＮＣ装置によってタレットまたはチャックが移動し、工具によって被加工物が機械加工される。【０００３】
さらに、タレットは複数の取り付け位置を有し、支軸のまわりを回転可能であり、支軸のまわりにおいて、各取り付け位置が等角度間隔を置いて設定され、工具は複数の取り付け位置に取り付けられる。さらに、モータがタレットに連結される。したがって、モータによってタレットを回転させ、工具を交換することができるが、最近、ＮＣ旋盤の機械加工の高度化にともない、交換する工具の数を増大させることが要求されている。【０００４】
なお、特許文献３に記載されているように、マシニングセンタにおいて、以前、出願人はプッシュバー式のインデックス装置を開発し、提案した。ＮＣ旋盤ではなく、直接関係はないが、参考までに特許文献１のマシニングセンタについて説明すると、ＮＣ装置によってスピンドルまたはメインテーブルが移動し、工具によって被加工物が機械加工される。さらに、被加工物の機械加工とは別個に、ＮＣ装置によってスピンドルまたはメインテーブルが移動し、その移動によってプッシュバーが移動し、インデックステーブルがプッシュバーに連動し、回転し、インデックステーブルによって被加工物がインデックス操作される。【０００５】
そして、この発明は、ＮＣ旋盤において、交換する工具の数を増大させることを目的としてなされたものである。
【先行技術文献】
【特許文献】
【０００６】
【特許文献１】特開２０００−１９８０４７号公報
【０００７】
【特許文献２】特開２００１−０３８５０２号公報
【０００８】
【特許文献３】特許第３５７１６０５号公報
【発明の概要】
【０００９】
この発明によれば、特別の構成のＮＣ旋盤が新たに提供される。そのＮＣ旋盤では、タレットに追加タレットが組み合わされる。タレットは複数の取り付け位置を有し、支軸のまわりを回転可能であり、支軸のまわりにおいて、各取り付け位置が等角度間隔を置いて設定され、追加タレットは複数の取り付け位置のうち、少なくとも１つの取り付け位置に支持される。追加タレットは複数の追加取り付け位置を有し、追加支軸のまわりを回転可能である。そして、追加支軸のまわりにおいて、各追加取り付け位置が等角度間隔を置いて設定される。さらに、工具が追加取り付け位置に取り付けられ、被加工物がチャックに保持される。チャックは主軸のまわりを回転する。さらに、Ｘ軸方向およびＺ軸方向において、ＮＣ装置によってタレットまたはチャックが移動し、工具によって被加工物が機械加工される。さらに、タレットおよび追加タレットによって工具が交換される。
【００１０】
好ましい実施例では、追加タレットおよびプッシュバーがハウジングに支持され、ハウジングが複数の取り付け位置のうち、少なくとも１つの取り付け位置に取り付けられる。プッシュバーは長さ方向に移動可能である。そして、被加工物の機械加工とは別個に、ＮＣ装置によってタレットまたはチャックが移動し、その移動によってプッシュバーが移動する。さらに、ハウジング内において、連動機構がプッシュバーと追加タレット間に設けられ、追加タレットがプッシュバーに連動し、回転する。
【００１１】
さらに、この発明によれば、ＮＣ旋盤の付属装置が新たに提供される。その付属装置では、追加タレットおよびプッシュバーがハウジングに支持され、ハウジングがタレットに取り付けられる。タレットは主軸のまわりを回転可能である。さらに、追加タレットは複数の追加取り付け位置を有し、追加支軸のまわりを回転可能である。そして、追加支軸のまわりにおいて、各追加取り付け位置が等角度間隔を置いて設定される。一方、プッシュバーは長さ方向に移動可能である。さらに、ハウジング内において、連動機構がプッシュバーと追加タレット間に設けられ、追加タレットがプッシュバーに連動し、回転する。したがって、工具を追加取り付け位置に取り付け、追加タレットによって工具を交換することができる。
【図面の簡単な説明】
【００１２】
【図１】この発明の実施例を示す側面図である。
【図２】図１のタレットおよび追加タレットの正面図（Ａ）、側面図（Ｂ）および平面図（Ｃ）である。
【図３】図１のプッシュバーおよび連動機構の断面図である。
【図４】他の実施例の正面図（Ａ）、側面図（Ｂ）および平面図（Ｃ）である。
【図５】他の実施例の斜視図である。
【発明を実施するための形態】
【００１３】
以下、この発明の実施例を説明する。
【００１４】
図１はこの発明にかかるＮＣ旋盤を示す。このＮＣ旋盤はタレット１および追加タレット２を有する。図２に示すように、タレット１は複数の取り付け位置を有し、支軸３のまわりを回転可能であり、支軸３のまわりにおいて、各取り付け位置が等角度間隔を置いて設定され、追加タレット２は複数の取り付け位置のうち、少なくとも１つの取り付け位置に支持される。この実施例では、タレット１は八角形状のもので、取り付け位置はタレット１の各辺に設定されている。したがって、タレット１は計８つの取り付け位置を有する。そして、追加タレット２が１つの取り付け位置に支持され、工具４が他の取り付け位置に取り付けられている。
【００１５】
追加タレット２は複数の追加取り付け位置を有し、追加支軸５のまわりを回転可能である。そして、追加支軸５のまわりにおいて、各追加取り付け位置が等角度間隔を置いて設定される。さらに、工具４が追加取り付け位置に取り付けられる。この実施例では、追加タレット２は４つの追加取り付け位置を有する。そして、各追加取り付け位置において、それぞれみぞ６が形成され、工具４が挿入され、取り付けられている。
【００１６】
さらに、被加工物７がチャック８に保持される。チャック８は主軸９のまわりを回転する。たとえば、チャック８が主軸９に固定され、駆動モータが主軸９に連結されており、駆動モータによってチャック８および被加工物７が回転する。主軸９および駆動モータはベッド１０に支持されている。
【００１７】
一方、タレット１および支軸３はサドル１１に支持され、サドル１１はフレーム１２に支持され、Ｘ軸方向に移動可能である。フレーム１２はベッド１０に支持され、Ｚ軸方向に移動可能である。Ｘ軸方向とは主軸９の半径方向のことであり、Ｚ軸方向とは主軸９の軸方向のことである。さらに、駆動モータがフレーム１２に支持され、送りねじに連結され、送りねじがサドル１１にねじ合わされており、Ｘ軸方向において、駆動モータによってサドル１１を移動させることができ、駆動モータがベッド１０に支持され、送りねじに連結され、送りねじがフレーム１２にねじ合わされており、Ｚ軸方向において、駆動モータによってフレーム１２を移動させることができる。さらに、ＮＣ装置が駆動モータに接続されており、ＮＣ装置によって駆動モータを制御することができる。したがって、Ｘ軸方向およびＺ軸方向において、ＮＣ装置によってタレット１を移動させ、工具４を被加工物７に接触させ、工具４によって被加工物７を機械加工することができる。
【００１８】
さらに、この実施例では、タレット１が支軸３に固定され、駆動モータがサドル１１に支持され、支軸３に連結されており、支軸３のまわりにおいて、駆動モータによってタレット１および支軸３を回転させることができる。さらに、ＮＣ装置が駆動モータに接続されており、ＮＣ装置によって駆動モータを制御し、タレット１を設定角度回転させ、タレット１によって工具４を交換することができる。
【００１９】
さらに、このＮＣ旋盤では、追加タレット２およびプッシュバー１３がハウジング１４に支持され、ハウジング１４が複数の取り付け位置のうち、少なくとも１つの取り付け位置に取り付けられる。プッシュバー１３は長さ方向に移動可能である。そして、被加工物７の機械加工とは別個に、ＮＣ装置によってタレット１が移動し、その移動によってプッシュバー１３が移動する。さらに、ハウジング１４内において、連動機構がプッシュバー１３と追加タレット２間に設けられ、追加タレット２がプッシュバー１３に連動し、回転する。
【００２０】
この実施例では、追加タレット２が追加支軸５に固定され、追加支軸５がハウジング１４に支持され、回転可能に案内され、ハウジング１４および追加支軸５によって追加タレット２が支持されており、ハウジング１４がタレット１に取り付けられている。さらに、特許文献３のプッシュバーおよび連動機構と同様、図３に示すように、プッシュバー１３がハウジング１４に支持され、移動可能に案内され、スプリング１５によってプッシュバー１３が弾性付勢されている。追加支軸５はＸ軸方向にのびる。プッシュバー１３はＺ軸方向にのび、長さ方向に移動する。さらに、連動機構に送りつめ１６およびつめ車１７が使用され、送りつめ１６がプッシュバー１３に取り付けられ、スプリング１８によって送りつめ１６が弾性付勢され、つめ車１７が追加支軸５に固定されている。つめ車１７は追加支軸５に同心である。
【００２１】
さらに、ストッパがベッド１０に設けられている。この実施例では、ストッパにロッド１９が使用され、ロッド１９はＺ軸方向にのび、そのＹ軸方向の位置はプッシュバー１３に対応する。Ｙ軸方向とはＸ軸方向およびＺ軸方向に垂直の方向のことである。さらに、心押台２０がベッド１０に設けられ、ロッド１９は心押台２０に取り付けられている。心押台２０は長い被工作物７に押し付けるためのもので、一般に使用されているところのものである。
【００２２】
したがって、支軸３のまわりにおいて、追加タレット２が所定の角度位置にあるとき、まず、Ｘ軸方向において、ＮＣ装置によってタレット１を移動させると、プッシュバー１３がタレット１および追加タレット２と一体的に移動し、その位置をロッド１９に対応させることができる。さらに、Ｚ軸方向において、ＮＣ装置によってタレット１を移動させると、プッシュバー１３をロッド１９に向かって移動させ、ロッド１９に押し付けることができ、ロッド１９によってプッシュバー１３を移動させ、送りつめ１６をつめ車１７に係合させ、送りつめ１６およびスプリング１８によってつめ車１７、追加支軸５および追加タレット２を回転させることができる。さらに、プッシュバー１３をロッド１９から後退させ、スプリング１５によってプッシュバー１３を移動させ、復帰させることができ、その後、プッシュバー１３をロッド１９に押し付け、追加タレット２を再度回転させることができる。これを何回か繰り返し、追加タレット２を設定角度回転させ、これによって工具４を交換することができる。
【００２３】
そして、工具４の交換後、Ｘ軸方向およびＺ軸方向において、ＮＣ装置によってタレット１を移動させ、工具４を被加工物７に接触させ、工具４によって被加工物７を機械加工することができるものである。
【００２４】
したがって、交換する工具の数を増大させることができる。このＮＣ旋盤の場合、追加タレット２の４つの追加取り付け位置において、それぞれ工具４を取り付け、タレット１の７つの取り付け位置において、それぞれ工具４を取り付けることができ、タレット１および追加タレット２によってそれを交換することができる。したがって、計１１個の工具４を取り付け、交換することができる（４＋７）。
【００２５】
タレット１の８つの取り付け位置のうち、２つの取り付け位置において、それぞれ追加タレット２を支持することもできる。この場合、計１４個の工具４を取り付け、交換することができる（４×２＋６）。すべての取り付け位置において、それぞれ追加タレット２を支持することも可能である。この場合、計３２個の工具４を取り付け、交換することができる（４×８）。
【００２６】
しかも、このＮＣ旋盤の場合、既存のＮＣ旋盤をそのまま使用することができる。ハウジング１４、追加タレット２、プッシュバー１３および連動機構によって付属装置を構成し、これを多数製造し、流通させ、既存のＮＣ旋盤において、ハウジング１４をタレット１に取り付け、固定する。さらに、ロッド１９を心押台２０に取り付ければよく、ＮＣ旋盤を大幅に改造する必要はない。
【００２７】
なお、この実施例では、タレット１に８つの取り付け位置をもたせ、追加タレット２に４つの追加取り付け位置をもたせたものを説明したが、取り付け位置を増大することもでき、減少することもできる。追加取り付け位置を増大することもでき、減少することもできる。
【００２８】
さらに、ロッド１９を心押台２０に取り付けたものを説明したが、ベッド１０の適当位置において、ロッド１９を直接取り付け、支持してもよい。ロッド１９に限らず、ストッパとして他の形状のものを使用してもよい。
【００２９】
さらに、Ｘ軸方向およびＺ軸方向において、ＮＣ装置によってタレット１を移動させ、工具４によって被加工物７を機械加工するようにしたものを説明したが、必ずしもその必要はない。Ｘ軸方向およびＺ軸方向において、ＮＣ装置によってタレット１ではなく、チャック８を移動させ、工具４を被加工物７に接触させ、工具４によって被加工物７を機械加工することもできる。この場合、追加タレット２の工具４を交換するとき、ＮＣ装置によってチャック８を移動させ、その移動によってロッド１９を移動させ、追加タレット２を回転させればよい。
【００３０】
図４の実施例でも、タレット１は複数の取り付け位置を有し、追加タレット２が少なくとも１つの取り付け位置に支持されるが、追加支軸５はＸ軸方向ではなく、Ｚ軸方向にのびる。一方、ロッド１９はＺ軸方向ではなく、Ｘ軸方向にのびる。したがって、まず、Ｚ軸方向において、ＮＣ装置によってタレット１またはチャック８を移動させ、プッシュバー１３またはロッド１９を移動させ、その位置を互いに対応させる。さらに、Ｘ軸方向において、ＮＣ装置によってタレット１またはチャック８を移動させ、プッシュバー１３またはロッド１９を移動させ、追加タレット２を回転させることができ、工具４を交換することができる。
【００３１】
図５の実施例でも、タレット１は複数の取り付け位置を有する。ただし、図５の実施例では、各取り付け位置において、それぞれみぞ２１が形成されている。みぞ２１は工具を取り付けるためのものである。さらに、追加タレット２およびプッシュバー１３がハウジング１４に支持され、ハウジング１４内において、連動機構がプッシュバー１３と追加タレット２間に設けられ、ハウジング１４、追加タレット２、プッシュバー１３および連動機構によって付属装置が構成されていることも他の実施例と同様である。そして、ハウジング１４がタレット１に取り付けられるが、図５の実施例では、まず、アダプタ２２がタレット１に取り付けられる。たとえば、アダプタ２２にキー２３が形成され、タレット１の取り付け位置において、キー２３がみぞ２１にはめ込まれ、ビス２４によってアダプタ２２が取り付けられ、固定される。その後、ハウジング１４がアダプタ２２に取り付けられる。たとえば、ビス２５によってハウジング１４が取り付けられ、固定される。したがって、ハウジング１４をタレット１に取り付けるとき、アダプタ２２およびビス２４，２５によってハウジング１４が取り付けられるものである。
【符号の説明】
【００３２】
１  タレット
２  追加タレット
３  支軸
４  工具
５  追加支軸
７  被加工物
８  チャック
９  主軸
１３  プッシュバー
１４  ハウジング
１６  送りつめ
１７  つめ車
【図１】
2012043551.tif 000003
【図２】
2012043551.tif 000004
【図３】
2012043551.tif 000005
【図４】
2012043551.tif 000006
【図５】
2012043551.tif 000007
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
複数の取り付け位置を有し、支軸のまわりを回転可能であり、前記支軸のまわりにおいて、各取り付け位置が等角度間隔を置いて設定されているタレットと、
前記複数の取り付け位置のうち、少なくとも１つの取り付け位置に取り付けられたハウジングと、
前記ハウジングに支持され、複数の追加取り付け位置を有し、追加支軸のまわりを回転可能であり、前記追加支軸のまわりにおいて、各追加取り付け位置が等角度間隔を置いて設定されている追加タレットと、
前記追加取り付け位置に取り付けられ、前記追加タレットの半径方向において、刃先が前記追加タレットおよびハウジングの外方に突出する工具と、
主軸のまわりを回転するチャックと、
前記チャックに保持される被加工物と、
前記追加支軸に垂直の面に沿って配置され、前記ハウジングに収容され、支持され、長さ方向に移動可能であり、一端が前記ハウジングの外部に露出し、前記刃先よりも外方に突出しないプッシュバーと、
ロッドからなるストッパと、
Ｘ軸方向およびＺ軸方向において、前記タレットを移動させ、前記刃先を前記被加工物に係合させ、前記刃先によって前記被加工物を機械加工し、前記被加工物の機械加工とは別個に、前記タレットを移動させ、前記プッシュバーおよびロッドの一端において、前記プッシュバーを前記ロッドに突き合わせ、前記プッシュバーを前記追加タレットに対し相対的に移動させるＮＣ装置と、
前記ハウジング内において、前記プッシュバーと追加タレット間に設けられ、前記追加タレットを前記プッシュバーに連動させ、回転させる連動機構とからなり、
前記タレットおよび追加タレットによって前記工具を交換するようにしたことを特徴とするＮＣ旋盤。
【手続補正書】
【提出日】平成24年6月7日(2012.6.7)
【手続補正２】
【補正対象書類名】明細書
【補正対象項目名】０００１
【補正方法】変更
【補正の内容】
【０００１】
この発明は、ＮＣ旋盤に関するものである。
【手続補正３】
【補正対象書類名】明細書
【補正対象項目名】００１１
【補正方法】削除
【補正の内容】
【国際調査報告】
2012043551.tif 000008
2012043551.tif 000009
2012043551.tif 000010
2012043551.tif 000011